(57)【要約】【課題】通気性を担保しマイクロフォンの集音部に入力される音質を向上せしめると共に、雑菌や口臭などからマイクロフォンを保護する。また、短時間の間にマイクロフォンを清潔にする。【解決手段】マイクロフォン４の集音部５と略同一形状に形成され、また、マイクロフォン４の集音部５に着脱自在に構成された和紙製の枠部材２の開口部６を、和紙製のカバー部材３で被覆する。カバー部材３は複数の和紙８を重畳して構成されており、それぞれの和紙８は枠部材２と分離可能に結合されている。【選択図】図１
2012160953.tif 000002
【特許請求の範囲】
【請求項１】
マイクロフォンの集音部と略同一形状に構成され、更に、同マイクロフォンの集音部に着脱自在に構成されると共に、所定の開口部を有する枠部材と、
それぞれが前記枠部材と分離可能に結合された複数の和紙を重畳して構成され、前記開口部を被覆する第１のカバー部材と、
それぞれが前記枠部材と分離可能に結合された複数の和紙を重畳して構成され、前記開口部のうち前記第１のカバー部材の被覆領域とは異なる領域を被覆する第２のカバー部材とを備える
マイクロフォンカバー。
【請求項２】
前記第１のカバー部材及び前記第２のカバー部材は、香料が含浸されて構成された
請求項１に記載のマイクロフォンカバー。
【請求項３】
前記枠部材は、互いに連結可能な第１の枠部材及び第２の枠部材とを有して構成されている
請求項１または請求項２に記載のマイクロフォンカバー。
【請求項４】
前記第１の枠部材はマイクロフォンの上方から同マイクロフォンの集音部に装着可能に、前記第２の枠部材はマイクロフォンの下方から同マイクロフォンの集音部に装着可能に構成されると共に、
マイクロフォンの集音部に装着された第１の枠部材及び第２の枠部材が連結可能に構成された
請求項３に記載のマイクロフォンカバー。
【請求項５】
前記第１の枠部材はマイクロフォンの一方の側方から同マイクロフォンの集音部に装着可能に、前記第２の枠部材はマイクロフォンの他方の側方から同マイクロフォンの集音部に装着可能に構成されると共に、
マイクロフォンの集音部に装着された第１の枠部材及び第２の枠部材が連結可能に構成された
請求項３に記載のマイクロフォンカバー。
【請求項６】
前記枠部材は、和紙製である
請求項１、請求項２、請求項３、請求項４または請求項５に記載のマイクロフォンカバー。
【請求項７】
前記枠部材は、前記第１のカバー部材及び前記第２のカバー部材を構成する和紙よりも膜厚が大きく高強度である
請求項１、請求項２、請求項３、請求項４、請求項５または請求項６に記載のマイクロフォンカバー。
【発明の詳細な説明】
【技術分野】
【０００１】
本発明はマイクロフォンカバーに関する。詳しくは、マイクロフォンの集音部を被覆するマイクロフォンカバーに係るものである。
【背景技術】
【０００２】
従来からマイクロフォンはカラオケなど各種の用途に用いられている。
カラオケは、スピーカーから流れる伴奏に合わせて利用者がマイクロフォンを片手に歌うものであるが、使用されるマイクロフォンは、握り柄であるマイクロフォンのボディの先端に設けられたマイクロフォンの集音部を金属メッシュ製の丸いカバーで覆ったものが一般的である。
【０００３】
しかし、歌うときにはマイクロフォンを口に近づけるために、利用者の雑菌や口臭などがマイクロフォンの集音部に付着し易く、非衛生的で病気を伝染させる原因の一つにもなっていた。
【０００４】
そこで、マイクロフォンの集音部を外部から被覆するマイクロフォンカバーとして、例えば、特許文献１には布やスポンジ製の使い捨てカバーが開示されており、また、例えば、特許文献２には合成樹脂製のカバーが開示されている。
【先行技術文献】
【特許文献】
【０００５】
【特許文献１】登録実用新案第３０１５８５９号
【特許文献２】特開平７−１０７５８４号公報
【発明の概要】
【発明が解決しようとする課題】
【０００６】
しかしながら、布やスポンジ製のマイクロフォンカバーの場合には、マイクロフォンの集音部に入力される音質が低下するといった問題が懸念される。また、合成樹脂製のマイクロフォンカバーの場合には、利用者の雑菌や口臭などからマイクロフォンを充分に保護できないといった問題が懸念される。
【０００７】
更に、カラオケルームやカラオケスナック等では、多数の人が次々に歌うためにマイクロフォンを連続的に使用するといったことが考えられ、短時間の間にマイクロフォンの集音部を清潔にすることが求められるものの、特許文献１や特許文献２に記載されたカバーでは、使用済みのカバーを外し、その後に別のカバーを装着する必要があり、短時間の間にカバーの交換を行うことが困難である。
【０００８】
本発明は以上の点に鑑みて創案されたものであって、通気性を担保しマイクロフォンの集音部に入力される音質を担保すると共に、雑菌や口臭などから充分にマイクロフォンを保護し、更には、短時間の間にマイクロフォンの集音部を清潔にすることが可能なマイクロフォンカバーを提供することを目的とする。
【課題を解決するための手段】
【０００９】
上記の目的を達成するために、本発明のマイクロフォンカバーは、マイクロフォンの集音部と略同一形状に構成され、更に、同マイクロフォンの集音部に着脱自在に構成されると共に、所定の開口部を有する枠部材と、それぞれが前記枠部材と分離可能に結合された複数の和紙を重畳して構成され、前記開口部を被覆する第１のカバー部材と、それぞれが前記枠部材と分離可能に結合された複数の和紙を重畳して構成され、前記開口部のうち前記第１のカバー部材の被覆領域とは異なる領域を被覆する第２のカバー部材とを備える。
【００１０】
ここで、枠部材がマイクロフォンの集音部と略同一形状に構成されたことによって、マイクロフォンの集音部に強固に固着することが可能となる。また、枠部材が所定の開口部を有することによって、マイクロフォンの集音部の集音性を阻害しにくく、マイクロフォンの集音部に入力される音質の低下を抑制することができる。
【００１１】
更に、第１のカバー部材や第２のカバー部材で枠部材の開口部を被覆することによって、利用者の雑菌や口臭などからマイクロフォンを保護することができる。
【００１２】
また、それぞれが枠部材と分離可能に結合された複数の和紙を重畳して第１のカバー部材が構成されたことによって、最上層の和紙のみを枠部材から分離することで、第１のカバー部材が被覆する領域を清潔な状態とすることができる。同様に、第２のカバー部材についても、それぞれが枠部材と分離可能に結合された複数の和紙を重畳して構成されたことによって、最上層の和紙のみを枠部材から分離することで、第２のカバー部材が被覆する領域を清潔な状態とすることができる。
【００１３】
また、第１のカバー部材の被覆領域とは異なる領域を第２のカバー部材が被覆することによって、換言すると、第１のカバー部材と第２のカバー部材の被覆領域が異なることによって、必要最小限の和紙の分離を行うことが可能となる。
【００１４】
具体的には、マイクロフォンの利用者の雑菌や口臭などが第１のカバー部材の被覆領域に付着した場合には、第１のカバー部材の最上層の和紙のみを分離すれば良く、マイクロフォンの利用者の雑菌や口臭などが第２のカバー部材の被覆領域に付着した場合には、第２のカバー部材の最上層の和紙のみを分離すれば良い。また、マイクロフォンの利用者の雑菌や口臭などが第１のカバー部材及び第２のカバー部材の双方の被覆領域に付着した場合には、第１のカバー部材の最上層の和紙及び第２のカバー部材の最上層の和紙を分離すれば良い。
【００１５】
また、和紙は通気性に優れると共に、粉塵等のゴミや唾液を通しにくいといった機能を有しており、第１のカバー部材及び第２のカバー部材を和紙で構成することによって、マイクロフォンの集音部に入力される音質の低下を抑制すると同時に、マイクロフォンの集音部を清潔に保つことが可能となる。
【００１６】
更に、第１のカバー部材や第２のカバー部材を構成する和紙に香料が含浸された場合には、利用者の口臭等をより効果的に抑制することが可能となる。
【００１７】
また、枠部材が互いに着脱自在な第１の枠部材及び第２の枠部材を有して構成された場合には、マイクロフォンの集音部への取付性が向上し、多少複雑な形状のマイクロフォンの集音部に対しても容易に取り付けることができる様になる。
【００１８】
更に、枠部材を和紙で製造した場合には、枠部材でマイクロフォンの集音部を被覆した領域についても、マイクロフォンの集音部に入力される音質の低下を抑制すると同時に、マイクロフォンの集音部を清潔に保つことが可能となり、より一層充分に高音質と清潔さの向上が実現できることとなる。
【発明の効果】
【００１９】
本発明のマイクロフォンカバーでは、通気性を担保してマイクロフォンの集音部に入力される音質を担保すると共に、雑菌や口臭などから充分にマイクロフォンを保護することができ、更には、短時間の間にマイクロフォンの集音部を清潔にすることができる。
【図面の簡単な説明】
【００２０】
【図１】本発明を適用したマイクロフォンカバーの一例を説明するための模式図である。
【図２】本発明を適用したマイクロフォンカバーをマイクロフォンに取り付けた状態を説明するための模式図である。
【図３】カバー部材の変形例を説明するための模式図である。
【図４】本発明を適用したマイクロフォンカバーの一例の変形例を説明するための模式図である。
【図５】本発明を適用したマイクロフォンカバーの他の一例を説明するための模式図である。
【図６】本発明を適用したマイクロフォンカバーの変形例を説明するための模式図である。
【発明を実施するための形態】
【００２１】
以下、発明を実施するための形態（以下、「実施の形態」と称する）について説明する。なお、説明は以下の順序で行う。
１．第１の実施の形態
２．第２の実施の形態
３．第３の実施の形態
４．変形例
【００２２】
＜１．第１の実施の形態＞
図１（ａ）は本発明を適用したマイクロフォンカバーの一例を説明するための模式図であり、図２は本発明を適用したマイクロフォンカバーをマイクロフォンに取り付けた状態を説明するための模式図である。
【００２３】
ここで示すマイクロフォンカバー１は、和紙製の枠部材２と和紙製のカバー部材３（３ａ、３ｂ、３ｃ、３ｄ）とから構成されており、枠部材２及びカバー部材３の双方に香料が含浸されている。なお、図２及び図４では、見やすさの便宜を図るために、カバー部材の図示は省略している。
【００２４】
枠部材２は、マイクロフォン４の集音部５と略同一形状に構成されている。
本実施の形態では、集音部５の中央部分の直径が、上方部分や下方部分の直径よりも大きく構成されたマイクロフォン４に取り付けるために、枠部材２の中央部分の直径が枠部材２の上方部分の直径よりも大きくなる様に構成されている。
【００２５】
なお、枠部材２をマイクロフォン４の上方側からマイクロフォン４の集音部５に嵌め入れることを考慮すると、枠部材２の下方部分はマイクロフォン４の集音部５が通過する程度の直径とする必要がある。
【００２６】
また、枠部材２はマイクロフォン４の集音部５の全面を覆うのではなく、所定の開口部６を有して構成されている。更に、枠部材２はマイクロフォン４の集音部５に着脱自在に構成されている。
【００２７】
ここで、本実施の形態では、枠部材２が和紙で形成されている場合を例に挙げて説明を行っているが、枠部材２はマイクロフォン４の集音部５と略同一形状に構成されることで、マイクロフォンカバー１をマイクロフォン４の集音部５に強固に固着することができれば充分であり、必ずしも和紙で形成される必要はない。但し、枠部材２が和紙で形成されることによって、より一層充分に高音質と清潔さの向上が実現することとなるために、カバー部材３のみならず、枠部材２をも和紙で形成される方が好ましい。
【００２８】
また、枠部材２に設けられた所定の開口部６を被覆する様に、カバー部材３（３ａ、３ｂ、３ｃ、３ｄ）が設けられている。カバー部材３（３ａ、３ｂ、３ｃ、３ｄ）は、それぞれが独立している複数枚の和紙８を重畳して構成されており、それぞれの和紙８は枠部材２と分離可能に結合されている。
具体的には、枠部材２とそれぞれの和紙８との境界にはミシン目９が設けられている。
【００２９】
ここで本実施の形態では、４つのカバー部材３（３ａ、３ｂ、３ｃ、３ｄ）が設けられた場合を例に挙げて説明を行っているが、カバー部材３の数量は必ずしも４つである必要は無く、図３で示す様に、２つのカバー部材３（３ｅ、３ｆ）が設けられても良い。また、３つのカバー部材３や５つ以上のカバー部材３が設けられても良い。
【００３０】
なお、枠部材２を構成する部材は、複数枚の和紙を重ねて強度を大きく（膜厚を大きく）しており、カバー部材３を構成する和紙８の強度（膜厚）よりも大きいこととなる。この様に、枠部材２を構成する部材の強度を大きくすることによって、枠部材２はマイクロフォン４の集音部５への強固な固着が実現することとなる。
【００３１】
本発明を適用したマイクロフォンカバー１では、図１（ｂ）で示す様に、必要に応じてカバー部材３（３ａ、３ｂ、３ｃ、３ｄ）の最上層の和紙８を分離することができるため、マイクロフォンの利用者の雑菌や口臭が付着した領域の和紙８を分離することが可能となり、極めて短時間でマイクロフォンの集音部を清潔な状態とすることが可能である。
【００３２】
また、カバー部材３が４つに分離しているために、マイクロフォンカバーの全体に雑菌や口臭が付着した場合には全てのカバー部材（３ａ、３ｂ、３ｃ、３ｄ）の最上層の和紙８を分離し、マイクロフォンカバーの一部のみに雑菌や口臭が付着した場合には該当する領域のカバー部材（例えば、３ａ）の最上層の和紙８のみを分離するといった対応が可能となる。
【００３３】
更に、本発明を適用したマイクロフォンカバー１では、枠部材２がマイクロフォン４の集音部と略同一形状に形成されているために、マイクロフォン４の集音部５に強固に固着することが可能である。また、枠部材２に開口部６が形成されているために、マイクロフォン４の集音部５の集音性を阻害することなく、高品位な音質を実現することができる。
【００３４】
なお、図４で示す様に、マイクロフォンカバー１をマイクロフォン４の集音部５に装着した後に、和紙製の止め部材７で枠部材２の下方を止めることによって、枠部材２をより一層強固にマイクロフォン４の集音部５に固着することができる。
【００３５】
＜２．第２の実施の形態＞
図５（ａ）は本発明を適用したマイクロフォンカバー１の他の一例を説明するための模式図である。
【００３６】
ここで示すマイクロフォンカバー１は、和紙製の枠部材２（第１の枠部材２Ａ及び第２の枠部材２Ｂ）と和紙製のカバー部材とから構成されており、枠部材２（第１の枠部材２Ａ及び第２の枠部材２Ｂ）の双方に香料が含浸されている。なお、図５（ａ）では、見やすさの便宜を図るために、カバー部材の図示を省略している。
【００３７】
枠部材２は、第１の枠部材２Ａ及び第２の枠部材２Ｂとで構成されている。また、枠部材２はマイクロフォン４の集音部５と略同一形状に構成されている。
【００３８】
第１の枠部材２Ａは、マイクロフォン４の上方側からマイクロフォン４の集音部５に装着可能に構成されている。また、第２の枠部材２Ｂは、マイクロフォン４の下方側からマイクロフォン４の集音部５に装着可能に構成されている。そして、マイクロフォン４の集音部５に装着された第１の枠部材２Ａと第２の枠部材２Ｂとが連結されることとなる。
【００３９】
また、枠部材２（第１の枠部材２Ａ及び第２の枠部材２Ｂ）は、マイクロフォン４の集音部５の全面を覆うのではなく、所定の開口部６を有して構成されている。更に、枠部材２（第１の枠部材２Ａ及び第２の枠部材２Ｂ）は、マイクロフォン４の集音部５に着脱自在に構成されている。
【００４０】
ここで、本実施の形態では、枠部材２（第１の枠部材２Ａ及び第２の枠部材２Ｂ）が和紙で形成されている場合を例に挙げて説明を行っているが、枠部材２（第１の枠部材２Ａ及び第２の枠部材２Ｂ）はマイクロフォン４の集音部５と略同一形状に構成されることで、マイクロフォンカバー１をマイクロフォン４の集音部５に強固に固着することができれば充分であり、必ずしも和紙で形成される必要はない。但し、枠部材２（第１の枠部材２Ａ及び第２の枠部材２Ｂ）が和紙で形成されることによって、より一層充分に高音質と清潔さの向上が実現することとなるために、カバー部材３のみならず、枠部材２（第１の枠部材２Ａ及び第２の枠部材２Ｂ）をも和紙で形成される方が好ましい。
【００４１】
また、図示は省略しているが、第１の枠部材２Ａに設けられた所定の開口部６を被覆する様に、４つのカバー部材が設けられている。なお、カバー部材は、それぞれが独立している複数枚の和紙を重畳して構成されており、それぞれの和紙は第１の枠部材２Ａと分離可能に結合されている。
【００４２】
同様に、第２の枠部材２Ｂに設けられた所定の開口部６を被覆する様に、４つのカバー部材が設けられている。なお、カバー部材は、それぞれが独立している複数枚の和紙を重畳して構成されており、それぞれの和紙は第２の枠部材２Ｂと分離可能に結合されている。
【００４３】
ここで、本実施の形態では、第１の枠部材２Ａに４つのカバー部材が設けられた場合を例に挙げて説明を行っているが、第１の枠部材２Ａに設けられるカバー部材の数量は必ずしも４つである必要はない。同様に、本実施の形態では、第２の枠部材２Ｂに４つのカバー部材が設けられた場合を例に挙げて説明を行っているが、第２の枠部材２Ｂに設けられるカバー部材の数量は必ずしも４つである必要はない。
【００４４】
なお、枠部材２（第１の枠部材２Ａ及び第２の枠部材２Ｂ）を構成する部材は、複数枚の和紙を重ねて強度を大きく（膜厚を大きく）しており、カバー部材を構成する和紙の強度（膜厚）よりも大きいこととなる。この様に、枠部材２（第１の枠部材２Ａ及び第２の枠部材２Ｂ）を構成する部材の強度を大きくすることによって、枠部材２（第１の枠部材２Ａ及び第２の枠部材２Ｂ）はマイクロフォン４の集音部５への強固な固着が実現することとなる。
【００４５】
本発明を適用したマイクロフォンカバー１では、必要に応じてカバー部材の最上層の和紙を分離することができるため、マイクロフォンの利用者の雑菌や口臭が付着した領域の和紙を分離することが可能となり、極めて短時間でマイクロフォンの集音部を清潔な状態とすることが可能である。
【００４６】
また、本発明を適用したマイクロフォンカバー１では、枠部材２（第１の枠部材２Ａ及び第２の枠部材２Ｂ）がマイクロフォン４の集音部５と略同一形状に形成されているために、マイクロフォン４の集音部５に強固に固着することが可能である。また、枠部材２（第１の枠部材２Ａ及び第２の枠部材２Ｂ）に開口部６が形成されているために、マイクロフォン４の集音部５の集音性を阻害することなく、高品位な音質を実現することができる。
【００４７】
また、本発明を適用したマイクロフォンカバー１では、枠部材２が第１の枠部材２Ａと第２の枠部材２Ｂとで構成され、マイクロフォン４の集音部５に各々別個に装着された後に、第１の枠部材２Ａと第２の枠部材２Ｂとが連結可能に構成されているために、マイクロフォン４の集音部５への取付性が向上することとなる。
【００４８】
更に、本発明を適用したマイクロフォンカバー１では、枠部材２（第１の枠部材２Ａと第２の枠部材２Ｂ）及びカバー部材が和紙で形成されているために、マイクロフォン４の集音部５に入力される音質の低下を抑制すると同時に、マイクロフォン４の集音部５を清潔に保つことができる。
【００４９】
＜３．第３の実施の形態＞
図５（ｂ）は本発明を適用したマイクロフォンカバー１の更に他の一例を説明するための模式図である。
【００５０】
ここで示すマイクロフォンカバー１は、和紙製の枠部材２（第１の枠部材２Ａ及び第２の枠部材２Ｂ）と和紙製のカバー部材とから構成されており、枠部材２（第１の枠部材２Ａ及び第２の枠部材２Ｂ）の双方に香料が含浸されている。なお、図５（ｂ）では、見やすさの便宜を図るために、カバー部材の図示を省略している。
【００５１】
枠部材２は、第１の枠部材２Ａと第２の枠部材２Ｂとで構成されている。また、枠部材２は、マイクロフォン４の集音部５と略同一形状に構成されている。
【００５２】
第１の枠部材２Ａは、マイクロフォン４の一方側面（例えば、図５（ｂ）では左側側面）からマイクロフォン４の集音部５に装着可能に構成されている。また、第２の枠部材２Ｂは、マイクロフォン４の他方側側面（例えば、図５（ｂ）では右側側面）からマイクロフォン４の集音部５に装着可能に構成されている。そして、マイクロフォン４の集音部５に装着された第１の枠部材２Ａと第２の枠部材２Ｂとが連結されることとなる。
【００５３】
また、枠部材２（第１の枠部材２Ａ及び第２の枠部材２Ｂ）は、マイクロフォン４の集音部５の全面を覆うのではなく、所定の開口部６を有して構成されている。更に、枠部材２（第１の枠部材２Ａ及び第２の枠部材２Ｂ）は、マイクロフォン４の集音部５に着脱自在に構成されている。
【００５４】
ここで、本実施の形態では、枠部材２（第１の枠部材２Ａ及び第２の枠部材２Ｂ）が和紙で形成されている場合を例に挙げて説明を行っているが、枠部材２（第１の枠部材２Ａ及び第２の枠部材２Ｂ）はマイクロフォン４の集音部５と略同一形状に構成されることで、マイクロフォンカバー１をマイクロフォン４の集音部５に強固に固着することができれば充分であり、必ずしも和紙で形成される必要はない。但し、枠部材２（第１の枠部材２Ａ及び第２の枠部材２Ｂ）が和紙で形成されることによって、より一層充分に高音質と清潔さの向上が実現することとなるために、カバー部材のみならず、枠部材２（第１の枠部材２Ａ及び第２の枠部材２Ｂ）をも和紙で形成される方が好ましい。
【００５５】
また、図示は省略しているが、第１の枠部材２Ａに設けられた所定の開口部６を被覆する様に、カバー部材が設けられている。なお、カバー部材は、それぞれが独立している複数枚の和紙を重畳して構成されており、それぞれの和紙は第１の枠部材２Ａと分離可能に結合されている。
【００５６】
同様に、第２の枠部材２Ｂに設けられた所定の開口部６を被覆する様に、カバー部材が設けられている。なお、カバー部材は、それぞれが独立している複数枚の和紙を重畳して構成されており、それぞれの和紙は第２の枠部材２Ｂと分離可能に結合されている。
【００５７】
なお、第１の枠部材２Ａや第２の枠部材２Ｂに設けられるカバー部材の数量は２以上であれば良く、特に数量を限定するものではない。
【００５８】
また、枠部材２（第１の枠部材２Ａ及び第２の枠部材２Ｂ）を構成する部材は、複数枚の和紙を重ねて強度を大きく（膜厚を大きく）しており、カバー部材を構成する和紙の強度（膜厚）よりも大きいこととなる。この様に、枠部材２（第１の枠部材２Ａ及び第２の枠部材２Ｂ）を構成する部材の強度を大きくすることによって、枠部材２（第１の枠部材２Ａ及び第２の枠部材２Ｂ）はマイクロフォン４の集音部５への強固な固着が実現することとなる。
【００５９】
本発明を適用したマイクロフォンカバー１では、必要に応じてカバー部材の最上層の和紙を分離することができるため、マイクロフォンの利用者の雑菌や口臭が付着した領域の和裁を分離することが可能となり、極めて短時間でマイクロフォンの集音部を清潔な状態とすることが可能である。
【００６０】
また、本発明を適用したマイクロフォンカバー１では、枠部材２（第１の枠部材２Ａ及び第２の枠部材２Ｂ）がマイクロフォン４の集音部５と略同一形状に形成されているために、マイクロフォン４の集音部５に強固に固着することが可能である。また、枠部材２（第１の枠部材２Ａ及び第２の枠部材２Ｂ）に開口部６が形成されているために、マイクロフォン４の集音部５の集音性を阻害することなく、高品位な音質を実現することができる。
【００６１】
また、本発明を適用したマイクロフォンカバー１では、枠部材２が第１の枠部材２Ａと第２の枠部材２Ｂとで構成され、マイクロフォン４の集音部５に各々別個に装着された後に、第１の枠部材２Ａと第２の枠部材２Ｂとが連結可能に構成されているために、マイクロフォン４の集音部５への取付性が向上することとなる。
【００６２】
更に、本発明を適用したマイクロフォンカバー１では、枠部材２（第１の枠部材２Ａと第２の枠部材２Ｂ）及びカバー部材が和紙で形成されているために、マイクロフォン４の集音部５に入力される音質の低下を抑制すると同時に、マイクロフォン４の集音部５を清潔に保つことができる。
【００６３】
＜４．変形例＞
上記した第１の実施の形態〜第３の実施の形態では、上方部分や下方部分の直径よりも中央部分の直径が大きく構成された集音部５を有するマイクロフォン４を例に挙げて説明を行っているが、マイクロフォン４の形状はいかなるものであっても良い。なお、その他のマイクロフォン４の形状としては、例えば、図６（ａ）や図６（ｂ）に示す様なものが挙げられる。
【符号の説明】
【００６４】
１    マイクロフォンカバー
２    枠部材
２Ａ  第１の枠部材
２Ｂ  第２の枠部材
３    カバー部材
４    マイクロフォン
５    集音部
６    開口部
７    止め部材
８    和紙
【図１】
2012160953.tif 000003
【図２】
2012160953.tif 000004
【図３】
2012160953.tif 000005
【図４】
2012160953.tif 000006
【図５】
2012160953.tif 000007
【図６】
2012160953.tif 000008
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
マイクロフォンの集音部と略同一形状に構成され、更に、同マイクロフォンの集音部に着脱自在に構成されると共に、複数枚の和紙を重ねて形成された所定の開口部を有する枠部材と、
それぞれが前記枠部材と分離可能に結合された複数の和紙を重畳して構成され、前記開口部を被覆する第１のカバー部材と、
それぞれが前記枠部材と分離可能に結合された複数の和紙を重畳して構成され、前記開口部のうち前記第１のカバー部材の被覆領域とは異なる領域を被覆する第２のカバー部材とを備える
マイクロフォンカバー。
【請求項２】
前記第１のカバー部材及び前記第２のカバー部材は、香料が含浸されて構成された
請求項１に記載のマイクロフォンカバー。
【請求項３】
前記枠部材は、互いに連結可能な第１の枠部材及び第２の枠部材とを有して構成されている
請求項１または請求項２に記載のマイクロフォンカバー。
【請求項４】
前記第１の枠部材はマイクロフォンの上方から同マイクロフォンの集音部に装着可能に、前記第２の枠部材はマイクロフォンの下方から同マイクロフォンの集音部に装着可能に構成されると共に、
マイクロフォンの集音部に装着された第１の枠部材及び第２の枠部材が連結可能に構成された
請求項３に記載のマイクロフォンカバー。
【請求項５】
前記第１の枠部材はマイクロフォンの一方の側方から同マイクロフォンの集音部に装着可能に、前記第２の枠部材はマイクロフォンの他方の側方から同マイクロフォンの集音部に装着可能に構成されると共に、
マイクロフォンの集音部に装着された第１の枠部材及び第２の枠部材が連結可能に構成された
請求項３に記載のマイクロフォンカバー。
【請求項６】
前記枠部材は、前記第１のカバー部材及び前記第２のカバー部材を構成する和紙よりも膜厚が大きく高強度である
請求項１、請求項２、請求項３、請求項４または請求項５に記載のマイクロフォンカバー。